(57)【要約】【課題】統制局装置１と複数の端末装置Ａ１〜Ａｎとが無線回線を介して通信する無線通信システムで、統制局装置が各端末装置毎に個別に通信を終了させることを可能とする。【解決手段】統制局装置では、統制局通信手段が通信を行い、生成手段が各端末装置を識別する識別情報を含む通信終了指示信号を生成し、統制局通信制御手段が生成された通信終了指示信号を統制局通信手段により送信する。端末装置では、端末通信手段が無線回線を介して通信を行い、判定手段が端末通信手段により受信された通信終了指示信号に含まれる識別情報が自装置を識別するものであるか否かを判定し、そう判定された場合には端末通信制御手段が端末通信手段により行われている通信を終了するための処理を行う。【選択図】  図１
2008067141.tif 000002
【特許請求の範囲】
【請求項１】
統制局装置と複数の端末装置とが無線回線を介して通信する無線通信システムにおいて、
前記統制局装置は、通信を行う統制局通信手段と、
各端末装置を識別する識別情報を含む通信終了指示信号を生成する生成手段と、
前記生成手段により生成された通信終了指示信号を前記統制局通信手段により送信する統制局通信制御手段と、を備え、
前記端末装置は、無線回線を介して通信を行う端末通信手段と、
前記端末通信手段により受信された前記通信終了指示信号に含まれる識別情報が自装置を識別するものであるか否かを判定する判定手段と、
前記判定手段により前記通信終了指示信号に含まれる識別情報が自装置を識別するものであることが判定された場合には前記端末通信手段により行われている通信を終了するための処理を行う端末通信制御手段と、を備えた、
ことを特徴とする無線通信システム。
【請求項２】
請求項１に記載の無線通信システムにおいて、
前記統制局装置は、端末装置との通信を他の端末装置へ転送するための処理を行う転送手段を備え、
前記統制局装置に備えられた前記生成手段は、前記転送手段による処理が行われているときに転送が中止になった場合に、転送元の端末装置と転送先の端末装置との一方又は両方に対して通信終了指示信号を生成する、
ことを特徴とする無線通信システム。
【発明の詳細な説明】
【技術分野】
【０００１】
本発明は、統制局装置が端末装置により行われている通信を終了させる機能を有する無線通信システムに関し、特に、統制局装置が各端末装置毎に個別に通信を終了させることが可能な無線通信システムに関する。
【背景技術】
【０００２】
例えば、一般的な移動無線システムでは、行政機関に統制局装置を設置し、行政管轄地区に複数の移動局装置を配備して、移動局装置と移動局装置との間で連絡通話を行い、統制局装置から受信される災害関連情報等の報知情報をこれらの移動局装置間で無線送信することが行われていた。
また、移動無線システムに付随して備え付けられる統制局装置の通話転送機能は、例えば、或る移動局装置Ａ１と統制局装置とが通話している際に、移動局装置Ａ１が統制局装置に依頼して他の移動局装置Ａ２へ通話を転送する機能であり、移動局装置Ａ１から直接的に移動局装置Ａ２を呼び出すことができない場合や、統制局装置において無線回線を統制した場合などに利用される。
【０００３】
図３には、移動無線システムの構成例を示してある。
なお、図３に示される移動無線システムの構成や動作は、後述する実施例で説明する本発明に係る部分以外については、後述する実施例で参照する図１に示されるものと同様であるため、ここでは詳しい説明は省略する。また、図３では、図１に示されるのと概略的に同様な構成部については同一の符号を用いて示してあるが、本発明を限定する意図は無い。
【０００４】
【特許文献１】特開２００６−２５２９７号公報
【発明の開示】
【発明が解決しようとする課題】
【０００５】
図３に示されるような移動無線システムでは、例えば、移動局装置Ａ１と移動局装置Ａ２との間の通話（移動局−移動局間通話）を終話させる場合に、統制局装置１が終話信号を送信する。なお、本例では、統制局装置１が中継局装置２により移動局装置Ａ１、Ａ２に対して終話信号を無線送信している。
【０００６】
しかしながら、このような構成では、例えば、統制卓１１を使用して統制局装置１が通話転送操作を行う場合において、移動局装置Ａ１と移動局装置Ａ２との個々に対して終話の指示を行うことができないといった問題があった。
例えば、移動局装置Ａ１、Ａ２間で通信を行っている際に、緊急通報などの理由から、その通信を終了する要求が発生したときには、統制局装置１から移動局装置Ａ１、Ａ２へ終話信号を送信することが行われるが、この方法では、通信を終了させたい移動局装置以外の移動局装置（つまり、通信を終了させたくない移動局装置）にも終話信号が送信されてしまうため、個々の移動局装置に対して終話を行うことができなかった。
【０００７】
また、例えば、防災無線システムでは、災害発生箇所における情報を迅速に収集して、対処方法の情報を即座に通報することが求められている。そして、全県移動無線システムにおいても、統制局装置１から複数の移動局装置Ａ１〜Ａｎへ向けた統制制御を有効に利用することで、移動局装置Ａ１〜Ａｎが取得している情報を収集し、各地域住民に対して的確な通報を提供する機能が求められる。
【０００８】
本発明は、このような従来の事情に鑑み為されたもので、統制局装置が各端末装置毎に個別に通信を終了させることが可能な無線通信システムを提供することを目的とする。
【課題を解決するための手段】
【０００９】
上記目的を達成するため、本発明に係る無線通信システムでは、統制局装置と複数の端末装置とが無線回線を介して通信する機能を有し、次のような構成とした。
すなわち、前記統制局装置では、統制局通信手段が通信を行い、生成手段が各端末装置を識別する識別情報を含む通信終了指示信号を生成し、統制局通信制御手段が前記生成手段により生成された通信終了指示信号を前記統制局通信手段により送信する。
また、前記端末装置では、端末通信手段が無線回線を介して通信を行い、判定手段が前記端末通信手段により受信された前記通信終了指示信号に含まれる識別情報が自装置（当該端末装置）を識別するものであるか否かを判定し、そして、前記判定手段により前記通信終了指示信号に含まれる識別情報が自装置を識別するものであることが判定された場合には、端末通信制御手段が前記端末通信手段により行われている通信を終了するための処理を行う。
【００１０】
従って、統制局装置が各端末装置を指定する通信終了指示信号を生成して送信し、各端末装置が自装置宛の通信終了指示信号を受信した場合に通信を終了することが行われるため、統制局装置が各端末装置毎に個別に通信を終了させることが可能であり、通信の効率化を図ることができる。
【００１１】
ここで、統制局装置や端末装置の構成としては、それぞれ、種々なものが用いられてもよい。端末装置としては、例えば、移動可能な移動局装置が用いられてもよく、或いは、固定的に設置された装置が用いられてもよい。
また、統制局装置と端末装置とが直接的に無線回線を介して無線通信する構成が用いられてもよく、或いは、例えば、統制局装置と中継局装置とが有線で通信して、中継局装置と端末装置とが無線通信する構成のように、統制局装置と端末装置とが、中継局装置を介して通信することで、間接的に無線回線を介して通信するような構成が用いられてもよい。
統制局通信手段としては、有線の通信を行う手段が用いられてもよく、或いは、無線の通信を行う手段が用いられてもよく、或いは、これら両方の手段が用いられてもよい。
【００１２】
また、各端末装置を識別する識別情報としては、種々な情報が用いられてもよい。
また、通信終了指示信号としては、種々な形式の信号が用いられてもよい。
また、端末装置の判定手段は、例えば、自装置（当該端末装置）に設定された識別情報をメモリに記憶しておいて、受信された通信終了指示信号に含まれる識別情報が自装置に設定された識別情報と一致する場合には自装置宛の通信終了指示信号であると判定し、一致しない場合には自装置宛の通信終了指示信号ではないと判定する。
【００１３】
また、通信終了指示信号により終了させられる通信としては、種々な通信が用いられてもよく、例えば、１対１の個別通信や、或いは、２つ以上の端末装置をグループ化してグループを指定して行われるグループ通信などを用いることができる。
また、通信を終了させる対象となる端末装置が２つ以上存在する状況では、統制局装置において、生成手段はこれら各端末装置毎に通信終了指示信号を生成し、統制局通信制御手段はこれら各端末装置毎の通信終了指示信号を送信する。
【００１４】
本発明に係る無線通信システムでは、一構成例として、次のような構成とした。
すなわち、前記統制局装置では、転送手段が端末装置との通信を他の端末装置へ転送するための処理を行う。そして、前記統制局装置に備えられた前記生成手段は、前記転送手段による処理が行われているときに転送が中止になった場合に、転送元の端末装置と転送先の端末装置との一方又は両方に対して通信終了指示信号を生成する。
【００１５】
従って、統制局装置では、或る端末装置との通信を他の端末装置へ転送するための処理を行うに際して、当該転送が中止になった場合には、例えば、転送元の端末装置のみの通信を終了させることや、或いは、転送先の端末装置のみの通信を終了させることが可能であり、また、これら両方の端末装置の通信を終了させることも可能である。
【００１６】
ここで、端末装置（転送元の端末装置）との通信を他の端末装置（転送先の端末装置）へ転送する態様としては、例えば、１つの端末装置との通信を他の１つの端末装置へ転送する態様ばかりでなく、転送元の端末装置或いは転送先の端末装置の一方又は両方が２つ以上であるような態様が用いられてもよい。
また、転送手段により行われようとしている転送処理を中止することは、例えば、統制局装置を操作するユーザ（人）或いは端末装置を操作するユーザ（人）などから入力された指示に応じて行われ、或いは、緊急の通信が割り込んだことを検出したという条件などのように、転送処理を中止する条件が予めメモリに記憶されていて、その条件が満たされたことに応じて行われる。
【００１７】
また、転送処理が中止される場合には、通常は、転送先の端末装置の通信が終了させられるが、他の態様が用いられてもよい。例えば、統制局装置を操作するユーザ（人）或いは端末装置を操作するユーザ（人）などから入力された指示があったことや、或いは、予め設定された条件が満たされたことに応じて、その指示或いはその条件に合致した端末装置の通信を終了させるような態様が用いられてもよい。
【発明の効果】
【００１８】
以上説明したように、本発明によると、統制局装置が、通信を終了させるべき端末装置を指定した信号により、当該端末装置により行われている通信を終了させるようにしたため、通信を終了させずに継続させるべき端末装置により行われている通信についてはそのまま継続させることができ、全体として通信の効率化を図ることができる。
【発明を実施するための最良の形態】
【００１９】
本発明に係る実施例を図面を参照して説明する。
本例では、県などの防災に関する無線通信システムである全県移動無線システムに本発明を適用した場合を示す。
図１には、本例の全県移動無線システムの構成例を示してある。
本例の全県移動無線システムは、統制局装置１と、中継局装置（基地局装置）２と、複数であるｎ個の移動局装置Ａ１〜Ａｎを備えている。統制局装置１は行政機関に設置されており、移動局装置Ａ１〜Ａｎは行政管轄地区に配備されており、中継局装置２は中継点となる任意の場所に設置されている。
なお、複数の移動局装置Ａ１〜Ａｎの数ｎとしては、種々な数が用いられてもよい。
【００２０】
ここで、本例の全県移動無線システムでは、例えば、災害時に行政機関同士で災害関連情報を連絡する等の用途として用いられ、移動局装置Ａ１〜Ａｎ間の連絡通話を行うものとして使用される。
また、本例では、携帯電話のように移動することが可能な移動局装置Ａ１〜Ａｎを端末装置とする場合を示すが、他の構成例として、固定的に設置された端末装置が用いられてもよい。本例では、各移動局装置Ａ１〜Ａｎはそれぞれの地域の任意の場所に移動することが可能である。
また、一般に、統制局装置１や中継局装置２から移動局装置Ａ１〜Ａｎなどへの通信の方向を下りと言い、移動局装置Ａ１〜Ａｎなどから中継局装置２や統制局装置１への通信の方向を上りと言う。
【００２１】
統制局装置１は、人により操作されて各種の指令などを受け付ける統制卓１１と、各種の制御動作を行う制御部１２と、人により操作されて文字メッセージの入力及び文字伝送の起動を行う文字伝送装置１３と、アンテナ１５を用いて無線通信を行う無線装置１４を備えている。
中継局装置２は、各種の制御動作を行う制御部２１と、アンテナ２３を用いて無線による送受信を行う無線部２２を備えている。
各移動局装置Ａ１〜Ａｎは、各種の制御動作を行う制御部Ｂ１〜Ｂｎと、アンテナＤ１〜Ｄｎを用いて無線による送受信を行う無線部Ｃ１〜Ｃｎを備えている。
【００２２】
本例では、統制局装置１と中継局装置２の制御部２１とが有線又は無線により接続されて通信を行い、中継局装置２と移動局装置Ａ１〜Ａｎの無線部Ｃ１〜Ｃｎとが無線により接続されて通信を行うことで、統制局装置１と移動局装置Ａ１〜Ａｎとの間で中継局装置２を介して通信が行われる。また、移動局装置Ａ１〜Ａｎ同士の間で無線により通信することも可能である。例えば、統制局装置１から移動局装置Ａ１〜Ａｎに対して災害等に関する報知情報を送信することや、或る移動局装置Ａ１〜Ａｎが統制局装置１から受信した報知情報などを他の移動局装置Ａ１〜Ａｎに対して送信することが行われ、また、必要に応じて通話を転送することが行われる。
【００２３】
図２には、統制局装置１の詳しい構成例を示してある。
本例の統制局装置１では、統制卓（指令台）１１には、人により操作されて情報や指示を入力する操作入力部３１と、人に対して情報を画面に表示する表示部３２と、情報をメモリに記憶する記憶部３３と、各種の制御を行う制御部３４が備えられている。
また、制御部１２には、統制卓１１における指令に基づく制御を行う指令制御装置５１と、回線を制御する回線制御装置５２が備えられている。
また、文字伝送装置１３には、指令を発令する機能を有する指令発令ＦＡＸ４１と、ＦＡＸ送信を管理するＦＡＸ送信管理装置４２が備えられている。
【００２４】
本例では、統制局装置１の回線制御装置５２やＦＡＸ送信管理装置４２が有線の回線を介して中継局装置２の制御部２１と接続されており、また、統制局装置１の回線制御装置５２は無線装置１４を用いて無線の回線を介して中継局装置２の制御部２１と接続することも可能であり、これらの回線を介して統制局装置１と中継局装置２との間で通信が行われる。
【００２５】
次に、移動局装置Ａ１と移動局装置Ａ２との間の通話を、統制局装置１が統制制御する動作について説明する。
本例では、統制局装置１が移動局装置Ａ１とセレコール個別通話（選択呼出し通信）を行っている状況において、統制局装置１が本通話を移動局装置Ａ１と他の移動局装置Ａ２との通話へ切り替える通話転送操作を行う場合を一例として示す。
【００２６】
すなわち、統制局装置１は、移動局装置Ａ１との間で通話を行っているときに、ユーザ（人）からの指示或いは他の状況に応じて通話転送操作を開始すると、移動局装置Ａ２を呼び出すと同時に、移動局装置Ａ１に対して保留電文を送信する。その後、統制局装置１と移動局装置Ａ２との通話となる。この状態において、ユーザ（人）からの指示或いは他の状況に応じて移動局装置Ａ２への転送を中止することが行われる場合には、本例では、統制局装置１が、移動局装置Ａ２のみを指定した終話信号を送信する。移動局装置Ａ２は、統制局装置１から受信した終話信号が自局宛の終話信号であることを判断（判定）すると、通話を終了する。このとき、移動局装置Ａ１は、統制局装置１から終話信号を受信しても、自局宛の終話信号ではないことを判断するため、通話を終了せず、通話を継続する。
【００２７】
本例では、このように個々の移動局装置Ａ１〜Ａｎを指定する終話電文を用いることにより、統制局装置１は、転送操作により保留をしている移動局装置Ａ１と移動局装置Ａ２とを同時に終話させてしまうことを回避することができる。
このように、本例では、転送元である保留中の移動局装置Ａ１と転送先である呼出対象の移動局装置Ａ２とが転送キャンセル時に同時に終話してしまうような状況の発生を回避することができる。
【００２８】
なお、各移動局装置Ａ１〜Ａｎを指定する情報としては、例えば、各移動局装置Ａ１〜Ａｎ毎に設定された個別番号などの識別情報（ＩＤ）を用いることができる。統制局装置１では複数の移動局装置Ａ１〜Ａｎに設定された識別情報がメモリに記憶されており、各移動局装置Ａ１〜Ａｎでは自局装置（当該各移動局装置Ａ１〜Ａｎ）に設定された識別情報がメモリに記憶されている。
【００２９】
以上のように、本例の全県移動無線システムでは、統制局装置１と複数の移動局装置Ａ１〜Ａｎとを中継局装置２を介して接続して、統制局装置１から移動局−移動局間通話を統制制御するに際して、統制局装置１が、各移動局装置Ａ１〜Ａｎを示す識別情報（ＩＤ）を付加した各移動局装置に個別な終話信号を生成し、終和すべき一方又は両方の移動局装置に対して終話信号を送信することが行われる。そして、各移動局装置Ａ１〜Ａｎは、自局（当該各移動局装置Ａ１〜Ａｎ）の識別情報が含まれた終話信号（自局宛の終話信号）のみを有効と判断して、自局宛の終話信号を受信したことに応じて終話処理を行う。
【００３０】
本例では、統制局装置１が或る移動局装置Ａ１との通話を別の移動局装置Ａ２へ転送する操作を行うに際して、各移動局装置Ａ１、Ａ２毎に個別に終話信号を生成して送信することにより、転送前の移動局装置Ａ１の通話のみを終話させることや、或いは、転送先の移動局装置Ａ２の通話のみを終話させることや、或いは、これら両方の移動局装置Ａ１、Ａ２の通話を終話させることが可能である。
【００３１】
従って、本例の全県移動無線システムでは、終話信号内に各移動局装置Ａ１〜Ａｎを指定する識別情報（ＩＤ）を付加することにより、終話させたい移動局装置Ａ１〜Ａｎのみを対象として統制局装置１が終話を指示することができ、統制局装置１が複数の移動局装置Ａ１〜Ａｎを効果的に統制制御することができる。
ここで、他の構成例として、各移動局装置Ａ１〜Ａｎは、終話信号を受信するために使用する情報を取得する機能を備えてもよく、この場合、当該機能により取得した情報を使用して終話信号を受信する。
【００３２】
なお、本例では、終話信号により通信終了指示信号が構成されている。
また、本例の統制局装置１では、制御部１２や無線装置１４により通信を行う機能により統制局通信手段が構成されており、統制卓１１或いは制御部１２により移動局装置Ａ１〜Ａｎの識別情報を含む終話信号を生成する機能により生成手段が構成されており、統制卓１１或いは制御部１２により終話信号を送信させる機能により統制局通信制御手段が構成されており、統制卓１１或いは制御部１２により転送のための処理を行う機能により転送手段が構成されている。
また、本例の移動局装置Ａ１〜Ａｎ（端末装置の一例）では、無線部Ｃ１〜Ｃｎにより無線通信を行う機能により端末通信手段が構成されており、制御部Ｂ１〜Ｂｎにより受信された終話信号が自局宛であるか否かを判定する機能により判定手段が構成されており、受信された終話信号が自局宛であった場合に制御部Ｂ１〜Ｂｎにより実行中の通話を終了するための処理を行う機能により端末通信制御手段が構成されている。
【００３３】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３４】
【図１】本発明の一実施例に係る移動無線システムの構成例を示す図である。
【図２】統制局装置の構成例を示す図である。
【図３】移動無線システムの構成例を示す図である。
【符号の説明】
【００３５】
１・・統制局装置、  ２・・中継局装置、  １１・・統制卓、  １２、２１、Ｂ１〜Ｂｎ、３４・・制御部、  １３・・文字伝送装置、  １４・・無線装置、  １５、２３、Ｄ１〜Ｄｎ・・アンテナ、  ２２、Ｃ１〜Ｃｎ・・無線部、  Ａ１〜Ａｎ・・移動局装置、  ３１・・操作入力部、  ３２・・表示部、  ３３・・記憶部、  ４１・・指令発令ＦＡＸ、  ４２・・ＦＡＸ送信管理装置、  ５１・・指令制御装置、  ５２・・回線制御装置、
【図１】
2008067141.tif 000003
【図２】
2008067141.tif 000004
【図３】
2008067141.tif 000005